(57)【要約】  第１の基板に設けられる複数の第１の電極及び複数の第２の電極、並びに前記第１及び第２の電極に交差するように第２の基板に設けられる複数の第３の電極を含むプラズマディスプレイパネルと、前記プラズマディスプレイパネルの前記複数の第１の電極を駆動する第１の電極駆動回路と、前記プラズマディスプレイパネルの前記複数の第２の電極を駆動する第２の電極駆動回路と、前記プラズマディスプレイパネルの前記複数の第３の電極を駆動する第３の電極駆動回路とを有し、前記プラズマディスプレイパネル（１，２）は、映像信号に応じて前記第１〜第３の電極を用いて放電による表示を行う複数の第１の表示セルと、前記第１の表示セルの領域（５１０）外において放電による表示を行う一又は複数の第２の表示セル（５０１〜５０４）とを有するプラズマディスプレイ装置が提供される。
2008015744.tif 000002
【特許請求の範囲】
【請求項１】
第１の基板に設けられる複数の第１の電極及び複数の第２の電極、並びに前記第１及び第２の電極に交差するように第２の基板に設けられる複数の第３の電極を含むプラズマディスプレイパネルと、
前記プラズマディスプレイパネルの前記複数の第１の電極を駆動する第１の電極駆動回路と、
前記プラズマディスプレイパネルの前記複数の第２の電極を駆動する第２の電極駆動回路と、
前記プラズマディスプレイパネルの前記複数の第３の電極を駆動する第３の電極駆動回路とを有し、
前記プラズマディスプレイパネルは、映像信号に応じて前記第１〜第３の電極を用いて放電による表示を行う複数の第１の表示セルと、前記第１の表示セルの領域外において放電による表示を行う一又は複数の第２の表示セルとを有することを特徴とするプラズマディスプレイ装置。
【請求項２】
前記第２の表示セルは、前記第１及び第２の電極を用いて表示を行い、
前記第２の表示セルの前記第１及び第２の電極の間のギャップは、前記第１の表示セルの前記第１及び第２の電極の間のギャップと異なることを特徴とする請求項１記載のプラズマディスプレイ装置。
【請求項３】
前記第２の表示セルは、前記第１及び第２の電極のうちのいずれかの電極と前記第１の基板上の第４の電極を用いて表示を行うことを特徴とする請求項１記載のプラズマディスプレイ装置。
【請求項４】
前記第４の電極は、グランド電位に固定されていることを特徴とする請求項３記載のプラズマディスプレイ装置。
【請求項５】
前記第２の表示セルは、前記第１及び第２の電極のうちのいずれかの電極と第３の電極を用いて表示を行い、
前記第２の表示セルの前記第１及び第２の電極のうちのいずれかの電極と第３の電極との間のギャップは、前記第１の表示セルの前記第１及び第２の電極のうちのいずれかの電極と第３の電極との間のギャップと異なることを特徴とする請求項１記載のプラズマディスプレイ装置。
【請求項６】
前記第２の表示セルは、前記第１及び第２の電極のうちの少なくともいずれかの電極と前記第２の基板上の第４の電極を用いて表示を行うことを特徴とする請求項１記載のプラズマディスプレイ装置。
【請求項７】
前記複数の第２の表示セルは、並んで配置されることを特徴とする請求項１記載のプラズマディスプレイ装置。
【請求項８】
前記プラズマディスプレイパネルは、少なくとも３個の前記第２の表示セルと、前記少なくとも３個の第２の表示セルに対応して赤、緑及び青の蛍光体を有することを特徴とする請求項１記載のプラズマディスプレイ装置。
【請求項９】
前記第２の表示セルは、前記第１及び第２の基板の電極間の放電により表示を行い、
さらに、前記第２の表示セルの前記第２の基板の電極に接続されるスイッチを有することを特徴とする請求項１記載のプラズマディスプレイ装置。
【請求項１０】
前記第２の表示セルは、前記第１の基板の電極間の放電により表示を行い、
さらに、前記第２の表示セルの前記第１の基板の電極に接続されるスイッチを有することを特徴とする請求項１記載のプラズマディスプレイ装置。
【請求項１１】
前記複数の第２の表示セルは、ロゴ又は文字の形状に配置されることを特徴とする請求項１記載のプラズマディスプレイ装置。
【請求項１２】
さらに、前記プラズマディスプレイパネルの前面に設けられる前面フィルタを有し、
前記前面フィルタは、前記第２の表示セルの光のうちのロゴ又は文字の形状の光を透過させる透過部を有することを特徴とする請求項１記載のプラズマディスプレイ装置。
【請求項１３】
さらに、前記プラズマディスプレイパネルの前面に設けられる前面フィルタを有し、
前記前面フィルタは、前記第２の表示セルの光のうちのロゴ又は文字の形状の光を遮光する遮光部を有することを特徴とする請求項１記載のプラズマディスプレイ装置。
【請求項１４】
さらに、前記プラズマディスプレイパネルの背面に設けられるシャーシと、
前記プラズマディスプレイパネルの前記第２の表示セルの光を反射させるための反射部とを有し、
前記シャーシは、前記反射部により反射させられた光を透過させるための透過部を有することを特徴とする請求項１記載のプラズマディスプレイ装置。
【請求項１５】
さらに、第２の表示セルの発光量を検出する受光素子を有することを特徴とする請求項１記載のプラズマディスプレイ装置。
【発明の詳細な説明】
【技術分野】
【０００１】
本発明は、プラズマディスプレイ装置に関する。
【背景技術】
【０００２】
プラズマディスプレイ装置は、映像信号に応じて映像表示領域に表示を行う。映像表示領域の上下及び左右には非表示領域がある。その非表示領域は、電極の引き出し部分を隠すために、黒等の色で塗られている。下記の特許文献１には、交流型プラズマディスプレイ装置の構成が記載されている。【０００３】
【特許文献１】特開２０００−２１５８１３号公報
【発明の開示】
【０００４】
本発明の目的は、映像表示領域外の領域において表示を行うことができるプラズマディスプレイ装置を提供することである。
【０００５】
本発明の一観点によれば、第１の基板に設けられる複数の第１の電極及び複数の第２の電極、並びに前記第１及び第２の電極に交差するように第２の基板に設けられる複数の第３の電極を含むプラズマディスプレイパネルと、前記プラズマディスプレイパネルの前記複数の第１の電極を駆動する第１の電極駆動回路と、前記プラズマディスプレイパネルの前記複数の第２の電極を駆動する第２の電極駆動回路と、前記プラズマディスプレイパネルの前記複数の第３の電極を駆動する第３の電極駆動回路とを有し、前記プラズマディスプレイパネルは、映像信号に応じて前記第１〜第３の電極を用いて放電による表示を行う複数の第１の表示セルと、前記第１の表示セルの領域外において放電による表示を行う一又は複数の第２の表示セルとを有することを特徴とするプラズマディスプレイ装置が提供される。
【図面の簡単な説明】
【０００６】
【図１】図１は、本発明の第１の実施形態によるプラズマディスプレイ装置の構成例を示す図である。
【図２】図２は、プラズマディスプレイパネルの構造例を示す分解斜視図である。
【図３】図３は、リセット期間、アドレス期間及びサステイン期間の動作例を説明するためのタイミングチャートである。
【図４】図４は、リセット期間、アドレス期間及びサステイン期間の他の動作例を説明するためのタイミングチャートである。
【図５】図５は、前面ガラス基板及び背面ガラス基板の構成例を示す図である。
【図６】図６は、図５の領域５０２内の第２の表示セルの構成例を示す図である。
【図７】図７は、図５の領域５０１内の第２の表示セルの構成例を示す図である。
【図８】図８は、本発明の第２の実施形態による領域５０１及び５０２（図５）内の第２の表示セルの構成例を示す図である。
【図９】図９は、第２の実施形態によるプラズマディスプレイ装置の構成例を示す図である。
【図１０】図１０は、本発明の第３の実施形態によるプラズマディスプレイ装置の構成例を示す図である。
【図１１】図１１は、本発明の第４の実施形態による前面ガラス基板及び背面ガラス基板の構成例を示す斜視図である。
【図１２】図１２は、第４の実施形態による電極の電圧及び放電の例を示すタイミングチャートである。
【図１３】図１３は、第４の実施形態によるプラズマディスプレイ装置の構成例を示す図である。
【図１４】図１４は、本発明の第５の実施形態による前面ガラス基板及び背面ガラス基板の構成例を示す斜視図である。
【図１５】図１５は、第５の実施形態による前面ガラス基板及び背面ガラス基板の構成例を示す断面図である。
【図１６】図１６は、本発明の第６の実施形態による前面ガラス基板及び背面ガラス基板の構成例を示す平面図である。
【図１７】図１７は、第６の実施形態による前面ガラス基板及び背面ガラス基板の構成例を示す斜視図である。
【図１８】図１８は、リブの内面に設けられる蛍光体の構成例を示す斜視図である。
【図１９】図１９は、本発明の第７の実施形態によるプラズマディスプレイ装置の構成例を示す図である。
【図２０】図２０は、本発明の第８の実施形態によるプラズマディスプレイ装置の構成例を示す図である。
【図２１】図２１は、本発明の第９の実施形態によるプラズマディスプレイ装置の構成例を示す図である。
【図２２】図２２は、本発明の第１０の実施形態によるプラズマディスプレイ装置の構成例を示す図である。
【図２３】図２３は、本発明の第１１の実施形態によるプラズマディスプレイ装置の構成例を示す図である。
【図２４】図２４は、本発明の第１２の実施形態によるプラズマディスプレイ装置の構成例を示す図である。
【図２５】図２５は、本発明の第１３の実施形態によるプラズマディスプレイ装置の構成例を示す図である。
【発明を実施するための最良の形態】
【０００７】
（第１の実施形態）
図１は、本発明の第１の実施形態によるプラズマディスプレイ装置の構成例を示す図である。制御回路７は、映像信号に応じて、Ｘ電極駆動回路４、Ｙ電極駆動回路５及びアドレス電極駆動回路６を制御する。Ｘ電極駆動回路４は、複数のＸ電極Ｘ１，Ｘ２，・・・に所定の電圧を供給する。以下、Ｘ電極Ｘ１，Ｘ２，・・・の各々を又はそれらの総称を、Ｘ電極Ｘｉといい、ｉは添え字を意味する。Ｙ電極駆動回路５は、複数のＹ（スキャン）電極Ｙ１，Ｙ２，・・・に所定の電圧を供給する。以下、Ｙ電極Ｙ１，Ｙ２，・・・の各々を又はそれらの総称を、Ｙ電極Ｙｉといい、ｉは添え字を意味する。アドレス電極駆動回路６は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。【０００８】
プラズマディスプレイパネル３では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、プラズマディスプレイパネル３は２次元画像を表示することができる。【０００９】
図２は、プラズマディスプレイパネル３の構造例を示す分解斜視図である。Ｘ電極Ｘｉ及びＹ電極Ｙｉは、前面ガラス基板１上に形成されている。その上には、放電空間に対し絶縁するための誘電体層１３が被着されている。さらにその上には、ＭｇＯ（酸化マグネシウム）保護層１４が被着されている。一方、アドレス電極Ａｊは、前面ガラス基板１と対向して配置された背面ガラス基板２上に形成される。その上には、誘電体層１６が被着される。更にその上には、蛍光体１８〜２０が被着されている。リブ（隔壁）１７の内面には、赤、青、緑色の蛍光体１８〜２０がストライプ状に各色毎に配列、塗付されている。Ｘ電極Ｘｉ及びＹ電極Ｙｉの間の放電によって蛍光体１８〜２０を励起して各色が発光する。前面ガラス基板１及び背面ガラス基板２との間の放電空間には、Ｎｅ＋Ｘｅペニングガス等が封入されている。【００１０】
図３は、リセット期間Ｔｒ、アドレス期間Ｔａ及びサステイン期間Ｔｓの動作例を説明するためのタイミングチャートである。リセット期間Ｔｒでは、Ｘ電極Ｘｉ及びＹ電極Ｙｉに所定の電圧を印加して、表示セルＣｉｊの初期化を行う。【００１１】
アドレス期間Ｔａでは、Ｙ電極Ｙ１，Ｙ２，・・・に対してスキャンパルスを順次スキャンして印加し、そのスキャンパルスに対応してアドレスパルスをアドレス電極Ａｊに印加することにより表示画素を選択する。Ｙ電極Ｙｉのスキャンパルスに対応してアドレス電極Ａｊのアドレスパルスが生成されれば、そのＹ電極Ｙｉ及びＸ電極Ｘｉの表示セルＣｉｊが選択される。Ｙ電極Ｙｉのスキャンパルスに対応してアドレス電極Ａｊのアドレスパルスが生成されなければ、そのＹ電極Ｙｉ及びＸ電極Ｘｉの表示セルＣｉｊが選択されない。スキャンパルスに対応してアドレスパルスが生成されると、アドレス電極Ａｊ及びＹ電極Ｙｉ間のアドレス放電が起こり、それを種火としてＸ電極Ｘｉ及びＹ電極Ｙｉ間で放電が起こり、Ｘ電極Ｘｉに負電荷が蓄積され、Ｙ電極Ｙｉに正電荷が蓄積される。【００１２】
サステイン期間Ｔｓでは、Ｘ電極Ｘｉ及びＹ電極Ｙｉ間に互いに逆相のサステインパルスが印加され、選択された表示セルＣｉｊのＸ電極Ｘｉ及びＹ電極Ｙｉ間でサステイン放電を行い、発光を行う。サステインパルスは、正電位Ｖｓ及び負電位−Ｖｓのパルスである。【００１３】
図４は、リセット期間Ｔｒ、アドレス期間Ｔａ及びサステイン期間Ｔｓの他の動作例を説明するためのタイミングチャートである。図４は、図３に対して、絶対電位を上げた例を示すものであり、動作は同じである。サステイン期間Ｔｓでは、Ｘ電極Ｘｉ及びＹ電極Ｙｉのサステインパルスは、正電位２Ｖｓ及びグランド電位ＧＮＤのパルスである。【００１４】
図５は、上記の前面ガラス基板１及び背面ガラス基板２の構成例を示す図である。前面ガラス基板１上には、相互に並行する複数のＸ電極（第１の電極）Ｘｉ及び複数のＹ電極（第２の電極）Ｙｉが設けられる。背面ガラス基板２上には、Ｘ電極Ｘｉ及びＹ電極Ｙｉに交差するようにアドレス電極（第３の電極）Ａｊが設けられる。【００１５】
映像表示領域５１０は、映像信号に応じて表示を行う図１の複数の表示セル（以下、第１の表示セルという）Ｃｉｊの領域である。映像表示領域５１０の外の領域５０１〜５０４には、第２の表示セルが設けられる。第２の表示セルは、映像表示領域５１０の外の領域に設けられ、上記の映像信号とは無関係に表示を行う表示セルである。【００１６】
領域５０１及び５０４は、映像表示領域５１０の上及び下の表示領域である。領域５０２及び５０３は、映像表示領域５１０の左及び右の表示領域である。領域５０１及び５０２内の第２の表示セルは、前面ガラス基板１上の電極間の放電により表示を行う。領域５０３及び５０４内の第２の表示セルは、前面ガラス基板１上の電極及び背面ガラス基板２上の電極間の放電により表示を行う。【００１７】
図６は、図５の領域５０２内の第２の表示セルの構成例を示す図である。Ｙ電極Ｙ０は、Ｙ電極駆動回路５により電圧が印加される複数のＹ電極Ｙｉの中の電極であり、前面ガラス基板１上に設けられる。領域５０２内の第２の表示セルは、Ｙ電極Ｙ０及びＸ電極Ｘｉ間の放電により表示を行う。各領域５０２は、Ｙ電極Ｙ０及びＸ電極Ｘｉ間のギャップを複数有するので、それに対応して複数の第２の表示セルを有する。ここで、第２の表示セルのＸ電極Ｘｉ及びＹ電極Ｙ０間のギャップは、第１の表示セルＣｉｊのＸ電極Ｘｉ及びＹ電極Ｙｉ間のギャップよりも狭い。上記のように、第１の表示セルＣｉｊは、アドレス期間Ｔａで選択されたもののみがサステイン期間Ｔｓで表示を行う。これに対し、第２の表示セルは、ギャップが狭いため、アドレス期間Ｔａにおける選択の有無にかかわらず、常にサステイン期間ＴｓでＸ電極Ｘｉ及びＹ電極Ｙ０間の放電による表示を行う。【００１８】
図７は、図５の領域５０１内の第２の表示セルの構成例を示す図である。図６と同様に、領域５０１内の第２の表示セルは、Ｙ電極Ｙ０及びＸ電極Ｘｉ間の放電により表示を行う。領域５０１は、Ｙ電極Ｙ０及びＸ電極Ｘｉ間のギャップを複数有するので、それに対応して複数の第２の表示セルを有する。第２の表示セルのＸ電極Ｘｉ及びＹ電極Ｙ０間のギャップは、第１の表示セルＣｉｊのＸ電極Ｘｉ及びＹ電極Ｙｉ間のギャップよりも狭い。第２の表示セルは、ギャップが狭いため、アドレス期間Ｔａにおける選択の有無にかかわらず、常にサステイン期間ＴｓでＸ電極Ｘｉ及びＹ電極Ｙ０間の放電による表示を行う。【００１９】
（第２の実施形態）
図８は、本発明の第２の実施形態による領域５０１及び５０２（図５）内の第２の表示セルの構成例を示す図である。第２の表示セルは、Ｘ電極Ｘｉ及び第４の電極ＸＸ間の放電により表示を行う。例えば、第４の電極ＸＸは、固定電位で固定されている。第２の表示セルのＸ電極Ｘｉ及び第４の電極ＸＸ間のギャップは、第１の表示セルのＸ電極Ｘｉ及びＹ電極Ｙｉ間のギャップよりも狭くすることができる。なお、第１の表示セルのギャップと第２の表示セルのギャップを同じにしてもよい。その場合は、第４の電極ＸＸの固定電位を高くすればよい。これにより、第２の表示セルは、常にサステイン期間ＴｓでＸ電極Ｘｉ及び第４の電極ＸＸ間の放電による表示を行う。【００２０】
図９は、本実施形態によるプラズマディスプレイ装置の構成例を示す図である。図３の動作を行う場合、Ｘ電極駆動回路４は、正電圧Ｖｓの端子及び負電圧−Ｖｓの端子に接続され、Ｘ電極Ｘｉに電圧を印加する。サステイン期間Ｔｓでは、Ｘ電極Ｘｉには、正電圧Ｖｓ及び負電圧−Ｖｓのサステインパルスが印加される。Ｙ電極駆動回路５は、正電圧Ｖｓの端子及び負電圧−Ｖｓの端子に接続され、Ｙ電極Ｙｉに電圧を印加する。サステイン期間Ｔｓでは、Ｙ電極Ｙｉには、正電圧Ｖｓ及び負電圧−Ｖｓのサステインパルスが印加される。Ｘ電極Ｘｉ及びＹ電極Ｙｉ間の容量は、第１の表示セルＣｉｊを構成する。【００２１】
第４の電極ＸＸ及びＸ電極Ｘｉ間の容量は、領域５０１又は５０２内の第２の表示セルＣＣを構成する。第４の電極ＸＸは、スイッチ９０１を介して負電位−Ｖｓの端子に接続される。スイッチ９０１は、通常オンになっている。その場合、第４の電極ＸＸは、負電位−Ｖｓに固定される。第２の表示セルＣＣは、常にサステイン期間Ｔｓで放電による表示を行う。ただし、ユーザが領域５０１及び５０２の表示を望まない場合には、スイッチ９０１をオフにすることにより、第２の表示セルＣＣは、放電による表示を行わない。【００２２】
なお、上記では、第４の電極ＸＸ及びＸ電極Ｘｉにより第２の表示セルＣＣが構成される例を説明したが、同様にして、第４の電極ＸＸ及びＹ電極Ｙｉにより第２の表示セルＣＣを構成してもよい。【００２３】
（第３の実施形態）
図１０は、本発明の第３の実施形態によるプラズマディスプレイ装置の構成例を示す図である。第２の実施形態では図３の動作を行う例を説明したが、本実施形態では図４の動作を行う例を説明する。本実施形態（図１０）が第２の実施形態（図９）と異なる点を説明する。Ｘ電極駆動回路４及びＹ電極駆動回路５には、正電位２Ｖｓの端子及びグランド電位ＧＮＤの端子が接続される。サステイン期間Ｔｓでは、Ｘ電極Ｘｉ及びＹ電極Ｙｉには、正電位２Ｖｓ及びグランド電位ＧＮＤのサステインパルスが印加される。Ｘ電極Ｘｉ及び第４の電極ＸＸ間の容量は第２の表示セルＣＣを構成し、Ｙ電極Ｙｉ及び第４の電極ＸＸ間の容量は第２の表示セルＣＣを構成する。第４の電極ＸＸは、グランド電位ＧＮＤに固定される。第２の表示セルＣＣは、常にサステイン期間Ｔｓで放電による表示を行う。なお、図９と同様に、第４の電極ＸＸ及びグランド電位ＧＮＤ間にスイッチ９０１を設けてもよい。【００２４】
（第４の実施形態）
図１１は、本発明の第４の実施形態による前面ガラス基板１及び背面ガラス基板２の構成例を示す斜視図である。第２の表示セルＣＣは、図５の領域５０３又は５０４内の第２の表示セルである。前面ガラス基板１には、複数のＸ電極Ｘｉ及び複数のＹ電極Ｙｉが設けられる。背面ガラス基板２には、複数のアドレス電極Ａｊ及び電極Ａ０が設けられる。サステイン期間Ｔｓにおいて、第１の表示セルＣｉｊは、Ｘ電極Ｘｉ及びＹ電極Ｙｉ間による放電により表示を行う。第２の表示セルＣＣは、Ｙ電極Ｙｉ及び電極Ａ０間の放電により表示を行う。【００２５】
図１２は、本実施形態によるＹ電極Ｙｉ及び電極Ａ０の電圧並びに放電ＤＤの例を示すタイミングチャートである。Ｙ電極Ｙｉの電圧は、図４のものと同様である。電極Ａ０には、Ｙ電極Ｙｉのリセット期間Ｔｓにおける負のリセット電圧に対応して、正のパルス電圧を印加する。放電ＤＤは、Ｙ電極Ｙｉ及び電極Ａ０間の容量に相当する第２の表示セルＣＣの放電を示す。第２の表示セルＣＣは、放電ＤＤにより表示を行う。サステイン期間Ｔｓでは、Ｙ電極Ｙｉのサステインパルスに対応して放電ＤＤが生じる。【００２６】
なお、上記では、Ｙ電極Ｙｉ及び電極Ａ０により第２の表示セルＣＣを構成する例を説明したが、同様に、Ｘ電極Ｘｉ及び電極Ａ０により第２の表示セルＣＣを構成することもできる。【００２７】
図１３は、本実施形態によるプラズマディスプレイ装置の構成例を示す図である。図４の動作を行う場合には、Ｘ電極駆動回路４及びＹ電極駆動回路５は、正電位２Ｖｓの端子及びグランド電位ＧＮＤの端子に接続され、それぞれＸ電極Ｘｉ及びＹ電極Ｙｉに電圧を印加する。第１の表示セルＣｉｊは、Ｘ電極Ｘｉ及びＹ電極Ｙｉ間の容量により構成される。Ｘ電極Ｘｉ及び電極Ａ０間の容量は第２の表示セルＣＣを構成し、Ｙ電極Ｙｉ及び電極Ａ０間の容量は第２の表示セルＣＣを構成する。アドレス電極駆動回路６は、正電位Ｖａ２の端子及びグランド電位ＧＮＤの端子に接続され、図１２に示す電極Ａ０の電圧を生成する。【００２８】
（第５の実施形態）
図１４は、本発明の第５の実施形態による前面ガラス基板１及び背面ガラス基板２の構成例を示す斜視図である。本実施形態（図１４）は、第４の実施形態（図１１）に対して、電極Ａ０の代わりに第４の電極ＡＡを設けた点が異なる。第４の電極ＡＡは、背面ガラス基板２上に設けられる。第２の表示セルＣＣは、図５の領域５０３又は５０４内の第２の表示セルであり、Ｘ電極Ｘｉ及びＹ電極Ｙｉのうちの少なくともいずれかの電極と第４の電極ＡＡとの間の容量により構成される。例えば、第４の電極ＡＡは、固定電位（例えば正電位）に固定される。【００２９】
図１５は、本実施形態による前面ガラス基板１及び背面ガラス基板２の構成例を示す断面図である。前面ガラス基板１上には、Ｘ電極Ｘｉ、Ｙ電極Ｙｉ及び誘電体層１３が設けられる。背面ガラス基板２上には、誘電体層１６、アドレス電極Ａｊ、第４の電極ＡＡ、リブ１７及び蛍光体１８が設けられる。第２の表示セルＣＣを構成する、Ｘ電極Ｘｉ及びＹ電極Ｙｉのうちの少なくともいずれかの電極と第４の電極ＡＡとの間のギャップＬ１は、第１の表示セルＣｉｊを構成する、Ｘ電極Ｘｉ及びＹ電極Ｙｉのうちの少なくともいずれかの電極とアドレス電極Ａｊとの間のギャップＬ２より狭い。すなわち、第２の表示セルＣＣの放電開始電圧は低く、第１の表示セルＣｉｊの放電開始電圧は高い。これにより、第２の表示セルＣＣは、常にサステイン期間Ｔｓにおいて放電による表示を行うことができる。【００３０】
（第６の実施形態）
図１６は本発明の第６の実施形態による前面ガラス基板１及び背面ガラス基板２の構成例を示す平面図であり、図１７は前面ガラス基板１及び背面ガラス基板２の構成例を示す斜視図である。本実施形態（図１６）は、図８に対して、第４の電極ＸＸの代わりに、第４の電極ＸＸｒ、ＸＸｇ、ＸＸｂを設けたものである。第４の電極ＸＸｒ及びＸ電極Ｘｉは赤の第２の表示セルＣＣを構成し、その赤の第２の表示セルＣＣに対応する背面ガラス基板２上のリブ１７の内面には赤の蛍光体１８が設けられる。また、第４の電極ＸＸｇ及びＸ電極Ｘｉは緑の第２の表示セルＣＣを構成し、その緑の第２の表示セルＣＣに対応する背面ガラス基板２上のリブ１７の内面には緑の蛍光体１９が設けられる。また、第４の電極ＸＸｂ及びＸ電極Ｘｉは青の第２の表示セルＣＣを構成し、その青の第２の表示セルＣＣに対応する背面ガラス基板２上のリブ１７の内面には青の蛍光体２０が設けられる。例えば、第４の電極ＸＸｒ、ＸＸｇ、ＸＸｂは、固定電位（例えばグランド電位ＧＮＤ）に固定される。本実施形態によれば、第２の表示セルＣＣによりカラー表示を行うことができる。また、複数の第２の表示セルＣＣを並べて配置することにより、輝度を高くすることができる。【００３１】
図１８は、上記のリブ１７の内面に設けられる蛍光体１８の構成例を示す斜視図である。蛍光体１９及び２０も、蛍光体１８と同様に設けられる。【００３２】
（第７の実施形態）
図１９は、本発明の第７の実施形態によるプラズマディスプレイ装置の構成例を示す図である。本実施形態（図１９）が図１３と異なる点を説明する。スイッチ１９０１は、正電位Ｖａ２の端子及び電極Ａ０間に設けられる。スイッチ１９０２は、グランド電位ＧＮＤの端子及び電極Ａ０間に設けられる。点灯制御回路１９０３は、スイッチ１９０１及び１９０２のオン／オフを制御し、図１２に示す電極Ａ０の電圧を生成する。また、点灯制御回路１９０３は、図９のスイッチ９０１と同様に、スイッチ１９０１及び１９０２をオフすることができる。すなわち、ユーザが領域５０３及び５０４の表示を望まない場合には、スイッチ１９０１及び１９０２をオフにすることにより、第２の表示セルＣＣは、放電による表示を行わない。なお、同様に、図１４の第４の電極ＡＡに接続されるスイッチを設けてもよい。【００３３】
（第８の実施形態）
図２０は、本発明の第８の実施形態によるプラズマディスプレイ装置の構成例を示す図である。本実施形態（図２０）が図１０と異なる点を説明する。スイッチ２００１は、グランド電位ＧＮＤの端子及び第４の電極ＸＸ間に設けられる。点灯制御回路２００２は、図９のスイッチ９０１と同様に、スイッチ２００１のオン／オフを制御する。すなわち、ユーザが領域５０１及び５０２の表示を望まない場合には、スイッチ２００１をオフにすることにより、第２の表示セルＣＣは、放電による表示を行わない。【００３４】
（第９の実施形態）
図２１は、本発明の第９の実施形態によるプラズマディスプレイ装置の構成例を示す図である。プラズマディスプレイ装置は、前面ガラス基板１、背面ガラス基板２及び前面フィルタ２１０１を有する。前面フィルタ２１０１は、前面ガラス基板１の前面に設けられ、不要な電磁波等を遮断する。前面ガラス基板１上にはＸ電極Ｘｉ及び第４の電極ＸＸが設けられる。そのＸ電極Ｘｉ及び第４の電極ＸＸにより構成される第２の表示セルＣＣは、例えば「ＨＩＴ」等のロゴ又は文字の形状に配置される。第２の表示セルＣＣによる発光２１０２は、前面フィルタ２１０１を介して外部に放出される。これにより、図５の領域５０１又は５０２には、第２の表示セルＣＣによりロゴ又は文字が表示される。なお、第２の表示セルＣＣは、第４の電極ＸＸ及びＹ電極Ｙｉにより構成されるものでもよい。また、同様に、領域５０３又は５０４内の第２の表示セルＣＣをロゴ又は文字の形状に配置することができる。【００３５】
（第１０の実施形態）
図２２は、本発明の第１０の実施形態によるプラズマディスプレイ装置の構成例を示す図である。本実施形態が第９の実施形態と異なる点を説明する。前面ガラス基板１上にはＸ電極Ｘｉ及び第４の電極ＸＸが設けられる。前面フィルタ２１０１は、第２の表示セルＣＣの光のうちの例えば「ＨＩＴ」等のロゴ又は文字の形状の光２２０３を透過させる透過部２２０１と、それ以外の光の遮光する遮光部２２０２を有する。前面フィルタ２１０１の透過部２２０１を透過した光２２０３は、外部に放出される。これにより、図５の領域５０１又は５０２には、第２の表示セルＣＣによりロゴ又は文字が表示される。なお、第２の表示セルＣＣは、第４の電極ＸＸ及びＹ電極Ｙｉにより構成されるものでもよい。また、領域５０３又は５０４内の第２の表示セルＣＣについても同様に表示することができる。【００３６】
（第１１の実施形態）
図２３は、本発明の第１１の実施形態によるプラズマディスプレイ装置の構成例を示す図である。本実施形態が第９の実施形態と異なる点を説明する。前面ガラス基板１上にはＸ電極Ｘｉ及び第４の電極ＸＸが設けられる。前面フィルタ２１０１は、第２の表示セルＣＣの光のうちの例えば「ＨＩＴ」等のロゴ又は文字の形状の光を遮光する遮光部２３０１と、それ以外の光の透過させる透過部２３０２を有する。前面フィルタ２１０１の透過部２３０２を透過した光２３０３は、外部に放出される。これにより、図５の領域５０１又は５０２には、第２の表示セルＣＣによりロゴ又は文字が表示される。なお、第２の表示セルＣＣは、第４の電極ＸＸ及びＹ電極Ｙｉにより構成されるものでもよい。また、領域５０３又は５０４内の第２の表示セルＣＣについても同様に表示することができる。【００３７】
（第１２の実施形態）
図２４は、本発明の第１２の実施形態によるプラズマディスプレイ装置の構成例を示す図である。プラズマディスプレイ装置は、上記のプラズマディスプレイパネル３及び前面フィルタ２１０１の他に、金属シャーシ２４０５を有する。金属シャーシ２４０５は、プラズマディスプレイパネル３の背面に設けられる。プラズマディスプレイパネル３は、前面ガラス基板１及び背面ガラス基板２を有し、さらに上記の第２の表示セルＣＣを含む領域２４０４を有する。領域２４０４は、図５の領域５０１〜５０４に対応する。前面フィルタ２１０１は、領域２４０４内の第２の表示セルＣＣの光を反射させるための反射部２４０２を有する。金属シャーシ２４０５は、反射部２４０２により反射させられた光２４０７を透過させるための透過部（切り抜き部）２４０６を有する。透過部２４０６を透過した光２４０７は、プラズマディスプレイ装置の背面を照らす。第２の表示セルＣＣは、バック照明として機能する。このバック照明は、プラズマディスプレイ装置の背面を照らし、臨場感を高める効果がある。【００３８】
（第１３の実施形態）
図２５は、本発明の第１３の実施形態によるプラズマディスプレイ装置の構成例を示す図である。プラズマディスプレイ装置は、プラズマディスプレイパネル３及び駆動回路２５０１を有する。駆動回路２５０１は、図１のＸ電極駆動回路４、Ｙ電極駆動回路５及びアドレス電極駆動回路６に対応し、ＭＰＵ（マイクロプロセッシングユニット）回路２５０２及びアナログデジタル変換回路２５０３を有する。プラズマディスプレイパネル３は、上記の第２の表示セルＣＣ及び受光素子（受光回路）２５１１を有する。駆動回路２５０１は、プラズマディスプレイパネル３のＸ電極Ｘｉ、Ｙ電極Ｙｉ及びアドレス電極Ａｊに電圧を供給する。これにより、第２の表示セルＣＣは、発光する。受光素子２５１１は、第２の表示セルＣＣの発光量を検出し、駆動回路２５０１内のアナログデジタル変換回路２５０３に出力する。アナログデジタル変換回路２５０３は、第２の表示セルＣＣの発光量をアナログ信号からデジタル信号に変換し、ＭＰＵ回路２５０２に出力する。ＭＰＵ回路２５０２は、第２の表示セルＣＣの発光量に応じて、第２の表示セルＣＣの寿命を演算し、第１の表示セルＣｉｊ及び第２の表示セルＣＣの発光輝度を制御する。第１の表示セルＣｉｊはアドレス期間Ｔａにおける選択に応じて発光するが、第２の表示セルＣＣは常に発光する。したがって、第２の表示セルＣＣは、第１の表示セルＣｉｊの中で最も発光回数が多い表示セルと同じ又はそれ以上の回数発光を行っている。第２の表示セルＣＣの寿命を算出することにより、第１の表示セルＣｉｊ及び第２の表示セルＣＣの発光輝度を適切に制御することができる。例えば、表示セルは発光を繰り返すと、徐々に発光輝度が低くなっていく。例えば、駆動回路２５０１は、第２の表示セルＣＣの発光量が少なくなったときには、サステイン期間ＴｓにおけるＸ電極Ｘｉ及びＹ電極Ｙｉのサステインパルス数を増やし、第１の表示セルＣｉｊ及び第２の表示セルＣＣの発光輝度を高くすることができる。【００３９】
以上のように、第１〜第１３の実施形態によれば、図５の映像表示領域５１０外に第２の表示セルＣＣを設けることにより、映像信号に応じた表示とは異なったプラズマ発光を行うことができる。また、プラズマ発光によりロゴ、文字、バック照明、機能ランプ等を表示することができる。また、第１３の実施形態によれば、第２の表示セルＣＣを映像表示領域５１０外に配置し、発光回数に比例した第２の表示セルＣＣの寿命を検出することができる。これにより、プラズマディスプレイ装置の更なる高機能化を実現することができる。【００４０】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【産業上の利用可能性】
【００４１】
映像信号に応じて表示を行う領域外においても、ロゴ、文字、バック照明、機能ランプ等の放電による表示を行うことができる。
【図１】
2008015744.tif 000003
【図２】
2008015744.tif 000004
【図３】
2008015744.tif 000005
【図４】
2008015744.tif 000006
【図５】
2008015744.tif 000007
【図６】
2008015744.tif 000008
【図７】
2008015744.tif 000009
【図８】
2008015744.tif 000010
【図９】
2008015744.tif 000011
【図１０】
2008015744.tif 000012
【図１１】
2008015744.tif 000013
【図１２】
2008015744.tif 000014
【図１３】
2008015744.tif 000015
【図１４】
2008015744.tif 000016
【図１５】
2008015744.tif 000017
【図１６】
2008015744.tif 000018
【図１７】
2008015744.tif 000019
【図１８】
2008015744.tif 000020
【図１９】
2008015744.tif 000021
【図２０】
2008015744.tif 000022
【図２１】
2008015744.tif 000023
【図２２】
2008015744.tif 000024
【図２３】
2008015744.tif 000025
【図２４】
2008015744.tif 000026
【図２５】
2008015744.tif 000027
【国際調査報告】
2008015744.tif 000028
2008015744.tif 000029
2008015744.tif 000030